(57)【要約】【課題】車両座席用、特に自動車座席用長手方向アジャスタを提供すること。【解決手段】少なくとも１つの第１座席レール（５）と、前記第１座席レール（５）に対して移動可能でその中で案内される少なくとも１つの第２座席レール（８）と、前記第１座席レール（５）を第２座席レール（８）にロックするための少なくとも１つのロック装置（１１）であって、前記第１座席レール（５）のロック列（１９）がロック装置（１１）に対応付けられているロック装置（１１）と、センサ（２４）を有する位置認識装置（２０）とを備えた車両座席用、特に自動車座席用長手方向アジャスタにおいて、前記センサ（２４）がロック列（１９）と協働すること。【選択図】図１
2008503387.tif 000002
【特許請求の範囲】
【請求項１】
少なくとも１つの第１座席レール（５）と、前記第１座席レール（５）に対して移動可能でその中で案内される少なくとも１つの第２座席レール（８）と、前記第１座席レール（５）のロック列（１９）が対応付けられて前記第１座席レール（５）を第２座席レール（８）にロックするための少なくとも１つのロック装置（１１）と、センサ（２４）を有する位置認識装置（２０）とを備えた車両座席用、特に、自動車座席用の長手方向アジャスタであって、
前記センサ（２４）が、前記ロック列（１９）と協働することを特徴とする車両座席用長手方向アジャスタ。
【請求項２】
前記ロック列（１９）が、連続する別個の要素（１５，１７）を有することを特徴とする請求項１に記載の車両座席用長手方向アジャスタ。
【請求項３】
一定に配置されたノッチ（１５）とウェブ（１７）とが、前記ロック列（１９）の要素として設けられていることを特徴とする請求項２に記載の車両座席用長手方向アジャスタ。
【請求項４】
前記ロック列（１９）を通り過ぎるセンサ（２４）の案内が、前記センサ（２４）の信号を作り出すことを特徴とする請求項１ないし請求項３のいずれか１項に記載の車両座席用長手方向アジャスタ。
【請求項５】
前記センサ（２４）が、前記第２座席レール（８）に配置されていることを特徴とする請求項１ないし請求項４のいずれか１項に記載の車両座席用長手方向アジャスタ。
【請求項６】
特にプラスチック製のセンサホルダ（２２）が、前記第２座席レール（８）に嵌合されてセンサ（２４）を固定することを特徴とする請求項５に記載の車両座席用長手方向アジャスタ。
【請求項７】
前記センサ（２４）が、前記第２座席レール（８）の開口部（２６）を介してロック列（１９）に向けられていることを特徴とする請求項５又は請求項６に記載の車両座席用長手方向アジャスタ。
【請求項８】
前記センサ（２４）が、ホールセンサから構成されていることを特徴とする請求項１ないし請求項７のいずれか１項に記載の車両座席用長手方向アジャスタ。
【請求項９】
前記センサ（２４）が、光センサから構成されていることを特徴とする請求項１ないし請求項７のいずれか１項に記載の車両座席用長手方向アジャスタ。
【請求項１０】
請求項１ないし請求項９のいずれか１項に記載の長手方向アジャスタを特徴とする車両座席、特に自動車座席。
【発明の詳細な説明】
【技術分野】
【０００１】
本発明は、請求項１の前提部の特徴を有する車両座席用、特に、自動車座席用長手方向アジャスタに関する。
【背景技術】
【０００２】
このタイプの長手方向アジャスタの場合には、走行車輪などによって座席レールの相対的移動を検出することや、そこから座席の実際の長手方向位置を判定することが公知である。
【発明の開示】
【発明が解決しようとする課題】
【０００３】
この発明は、最初に述べたタイプの長手方向アジャスタを改善する目的に基づくものである。
【課題を解決するための手段】
【０００４】
この目的は、本発明によれば請求項１の特徴を備えた長手方向アジャスタにより達成される。
有益な改良は、従属する請求項の主題である。
【０００５】
センサがロック列と協働する、すなわち、そのロック機能に加えてロック列が別の機能（位置認識）を有しているため、位置認識装置に必要な構成要素の数が低減される。
これによって、長手方向アジャスタの製造が簡素化されコストが低減される。
【０００６】
位置認識装置のコストを、ホールセンサの使用によりさらに低減することができ、一方で、座席レールの相対運動で作られるロック列の（好適には２つの）繰り返し連続して一定配置された別個の要素、すなわち部品に対して特に高感度の他のセンサを使用することも可能である。
このために該センサは、第２座席レールに、好ましくは、特殊なホルダに好適に配置され、開口部などを介してロック列に向けられている。
連続した状態が該センサで認識される該要素は、ノッチなどロック機能に必要な要素と好ましくは同じである。
しかし、ロック列は、例えば、センサで認識できる要素を備えたストリップの支持体に過ぎないこと、あるいは別の孔のパターンを有することも考えられる。
【０００７】
この発明に係る長手方向アジャスタは、座席の長手方向位置に関する情報が数値化される車両座席の全てに対して使用することができ、その目的のためにセンサが既知の方法で制御装置に接続されている。
【０００８】
図面に示した例証実施形態を参照して、本発明をより詳細に説明する。
【発明を実施するための最良の形態】
【０００９】
自動車の車両座席３用長手方向アジャスタ１が、車両座席の各側面に、自動車の車両構造物に接続されている第１座席レール５と、車両座席３の座席構造物に接続されている第２座席レール８とを有している。
摺動レールとして機能する第２座席レール８は、案内レールとして機能する第１座席レール５においてボール９の介在で長手方向に移動可能に案内される。
座席レール５，８の双方が、曲げられた縁部を有して略Ｕ字形の基本形状を備えた外形を有し、第１座席レール５の縁部が内向きに曲げられ、第２座席レール８の縁部が外向きに曲げられている。
２つの座席レール５，８の相互に向き合う外形が該縁部によって交互に互いに係合している。
【００１０】
座席を使用する場合、長手方向アジャスタ１が、１対の座席レール５，８に対して１つのロック装置１１でロックされる。
このロック装置１１の接続解除により、第２座席レール８が第１座席レール５に対して移動することができ、したがって、車両座席３の長手方向位置が調整される。
このことは、調整移動の端部位置が保持される従来の長手方向調整に関連しており、あるいは、車両座席３の背もたれ１４が前に折り畳まれて車両座席３全体が前に押され後部座席へのアクセスを容易にし、その後、車両座席３とその背もたれ１４が開始位置に再度戻される時の自由回動の一部でもある。
【００１１】
ロック装置１１は、第２座席レール８に移動可能に取り付けられ複数のラッチ歯を有するばね入りラッチプレートを有し、そして、一定に、交互に繰り返し連続して配置され、以下、ロック列１９と呼ばれる第１座席レール５のノッチ１５及びウェブ１７の一定列と協働する。
このケースでは、ロック列１９が、第１座席レール５の内側縁部で下向きに開口した歯の列として設計されている。
しかし、そのロック列１９は、１列の開口あるいは他の孔のパターンとすることも可能であろう。
ラッチプレートに代えて、代替実施形態では、個々のラッチボルト、複数のラッチプレートあるいはその他のラッチ要素を設けることもできる。
【００１２】
このケースでは、第２座席レール８に対応付けられた位置認識装置２０が、ロック装置１１の領域内の第２座席レール８の内側に配置されている。
プラスチック製のセンサホルダ２２が第２座席レール８に嵌合されており、そのセンサホルダ２２は、代わりに第２座席レール８の材料製とすることも可能で、また、シールド効果も有している。
このセンサホルダ２２は、センサ２４を、このケースでは関連磁石を備えたホールセンサを取付け、該センサ２４は、第２座席レール８の横開口２６を介してロック列１９に向けられている。
変形実施形態では、光センサを使用することもできる。
【００１３】
ロック列１９は、長手方向調整の場合、センサ２４を通り過ぎて案内される繰り返し連続するノッチ１５とウェブ１７によって、すなわち、連続して繰り返す非金属／金属及びその逆の一定交互配列（あるいは光センサの場合、異なる反射）によってセンサ２４のパルスジェネレータとして機能し、信号がセンサ２４において既知の方法で作られ、該センサ２４がその信号を制御装置に伝達する。
マークされた位置、例えば座席の可能な最も後方の長手方向位置での初期設定（標点）から開始すると、座席の現在の長手方向位置を、すなわち、個々の信号を合算したりあるいは合計したりすることにより徐々に認識することができる。
これは、例えば、上記自由回動の場合には記憶のために、あるいはエアバッグ制御装置のために使用することができる。
【図面の簡単な説明】
【００１４】
【図１】長手方向アジャスタの１対の座席レールの断面図。
【図２】長手方向アジャスタの１対の座席レールの斜視図。
【図３】車両座席の概略図。
【符号の説明】
【００１５】
１  ・・・長手方向アジャスタ
３  ・・・車両座席
５  ・・・第１座席レール
８  ・・・第２座席レール
９  ・・・ボール
１１  ・・・ロック装置
１４  ・・・背もたれ
１５  ・・・ノッチ
１７  ・・・ウェブ
１９  ・・・ロック列
２０  ・・・位置認識装置  
２２  ・・・センサホルダ
２４  ・・・センサ
２６  ・・・開口部
【図１】
2008503387.tif 000003
【図２】
2008503387.tif 000004
【図３】
2008503387.tif 000005
【国際調査報告】
2008503387.tif 000006
2008503387.tif 000007
2008503387.tif 000008
2008503387.tif 000009
2008503387.tif 000010
2008503387.tif 000011